(57)【要約】【課題】斬新な襟元の装飾ができる襟部材を提供する。【解決手段】帯状の内襟１と、内襟１の少なくともいずれか一方の長手側縁部に沿って縫い付けられた飾り襟２とを備える。和服６の襟１１の内側に内襟１を配して、飾り襟２を和服６の襟縁８に沿って外側に折り返し装着する。内襟１は芯材３で補強する。飾り襟２にはレース生地を使用し、飾り襟２の縁部５を、内襟１の長手方向中心部から両端に向かってそれぞれ先すぼまりにする。従来の伊達襟や重ね襟のように和服６の襟元から僅かに露出しているだけでなく、襟１１の外表面全般にわたって飾ることができ、これまでにはない斬新な和服６の着こなしを演出することができる。【選択図】図２
0003122366.tif 000002
【実用新案登録請求の範囲】
【請求項１】
帯状の内襟（１）と、内襟（１）の少なくともいずれか一方の長手側縁部に沿って縫い付けられた飾り襟（２）とを備えており、
和服（６）の襟（１１）の内側に内襟（１）を配して、飾り襟（２）を和服（６）の襟縁（８）に沿って外側に折り返し装着することを特徴とする襟部材。
【請求項２】
内襟（１）が、芯材（３）で補強されている請求項１記載の襟部材。
【請求項３】
飾り襟（２）が、レース生地で構成されている請求項１又は２記載の襟部材。
【請求項４】
飾り襟（２）の縁部（５）が、長手方向中心部から両端に向かってそれぞれ先すぼまりに形成されている請求項１ないし３記載の襟部材。
【請求項５】
内襟（１）の長手側縁部の両側に、形態の異なる飾り襟（２・１０）がそれぞれ縫い付けられている請求項１ないし４記載の襟部材。
【請求項６】
飾り襟（２）に、装飾品（９）が取り付けられている請求項１ないし５記載の襟部材。
【考案の詳細な説明】
【技術分野】
【０００１】
本考案は、和服の襟に着脱自在に装着する襟部材に関し、装飾性と機能性とを兼ね備えた襟部材に関する。
【背景技術】
【０００２】
和服の襟に装着する別部材として、襟の内側に装着して重ね着を演出し、襟元を美しく見せる伊達襟や重ね襟、あるいは襟の汚れや傷みを防止するために、襟の上から共切れを重ねて装着する共襟や掛襟などが古くから知られている。
【０００３】
襟元を美しく見せることは和服を着こなすうえで重要である。この種の従来品の装飾性を向上させるべく、例えば表生地にレース生地を重ね合わせた伊達襟や（特許文献１）、取り替え用の模様付き共襟（特許文献２）、あるいは襟元から覗くように洋装向けの飾りを縁に取り付けた重ね襟が公知である（特許文献３）。
【０００４】
【特許文献１】実開昭５８−１６０２１９号公報
【特許文献２】実開昭５９−１４１５１０号公報
【特許文献３】実開平３−６４０８号公報（図３）
【考案の開示】
【考案が解決しようとする課題】
【０００５】
しかしながら、先の特許文献１や特許文献３記載の考案は、いずれも従来の伊達襟や重ね襟と同様に、襟元からレース生地や飾りを僅かに露出させているに過ぎない。その点、特許文献２記載の考案は、襟の外側全体を飾る分、装飾性に優れてはいるが、共襟をそのまま掛け止めるだけではその縁部が捲れたり、だぶついたりして見苦しいし、着物に縫い付けるにしても手間が掛かって簡便性に欠ける。また布地だけで構成されているため、襟が補強されていない保形性の低い浴衣や法被などにあわせるのは難しい。
【０００６】
そこで、本考案の目的は、従来の考え方にとらわれず、これまでにない斬新な襟元の装飾ができる襟部材を提供することにある。本考案の目的は、とくに浴衣や法被などの保形性の低い和服に好適な襟部材を提供することにある。
【課題を解決するための手段】
【０００７】
本考案の襟部材は、図１に示すように、帯状の内襟１と、内襟１の少なくともいずれか一方の長手側縁部に沿って縫い付けられた飾り襟２とを備える。図２に示すように、和服６の襟１１の内側に内襟１を配して、飾り襟２を和服６の襟縁８に沿って外側に折り返し装着することを特徴とする。
【０００８】
具体的には、内襟１は、芯材３で補強されており、飾り襟２は、レース生地で構成されている。飾り襟２の縁部５は、長手方向中心部から両端に向かってそれぞれ先すぼまりに形成されている。ここで先すぼまりとは、長手方向の中心部から直ぐに先すぼまりになっていることだけでなく、中心部と端の途中から先すぼまりになっていることも含む。
【０００９】
内襟１の長手側縁部の両側に形態の異なる飾り襟２・１０をそれぞれ縫い付けてもよく、飾り襟２に装飾品９を取り付けることもできる。
【考案の効果】
【００１０】
請求項１記載の本考案にかかる襟部材によれば、帯状の内襟１と、内襟１の少なくともいずれか一方の長手側縁部に沿って縫い付けられた飾り襟２とを備え、和服６の襟１１の内側に内襟１を配して、飾り襟２を和服６の襟縁８に沿って外側に折り返し装着する。したがって、従来の伊達襟や重ね襟に見られるように、和服６の襟元から僅かに露出するだけでなく、図２に示すように、襟１１の外表面全般にわたって飾ることができ、これまでにはない斬新な和服６の着こなしを演出することができる。
【００１１】
請求項２記載の本考案によれば、内襟１が芯材３で補強されているため、例えば襟１１が補強されていない保形性の低い浴衣や法被に装着しても、襟元がくずれるおそれがなく、美しく着こなすことができる。
【００１２】
請求項３記載の本考案によれば、レース生地で構成された飾り襟２の上から和服６の襟１１が透けて見え、和服６の風情を損なわずに斬新な雰囲気を醸し出すことができる。
【００１３】
請求項４記載の本考案によれば、図１に示すように、飾り襟２の縁部５が、内襟１の長手方向中心部から両端に向かってそれぞれ先すぼまりに形成されているため、着用時に飾り襟２の縁部５が揺れ動き易い場所ほど揺れ動き幅が小さくなって見苦しくない。
【００１４】
請求項５記載の本考案によれば、図５に示すように、内襟１の長手側縁部の両側に形態の異なる飾り襟２・１０がそれぞれ縫い付けられてあるので、一つの襟部材で２通りの着こなしができる。
【００１５】
請求項６記載の本考案によれば、飾り襟２に装飾品９が取り付けられているので、和服６の襟元に、従来にはない斬新な飾り付けを演出できる。
【考案を実施するための最良の形態】
【００１６】
図１ないし図４に本考案の実施例を示す。図１において、本考案に係る襟部材は、細長い帯状の内襟１と、この内襟１の片側に長手方向の側縁部に沿って縫い付けられた細長い飾り襟２とを備えている。
【００１７】
内襟１は、図４に示すように、一枚の布生地を長手方向に沿って二つ折りにし、縫着縁の間に飾り襟２を挟んで飾り襟２の長さ分だけ三者を縫着し、袋状の内襟１を裏返す袋縫いによって形成する。こうして得られる襟部材は外方から縫い目が見えないため、仕上がりが美しい。内襟１の内部には、その全域にわたって補強用の不織布からなる芯材３が配置してある。内襟１の幅寸法は約６cm、長さ寸法は約１２５cmである。
【００１８】
飾り襟２は、糸で網目状の透かし模様を編んで布状にした極薄のレース生地からなる。飾り襟２の縁部５は、内襟１の長手方向中心部から両端に向かってそれぞれ先すぼまりになっていて、緩やかな凸弧状に形成されている。飾り襟２の縁部５は波形状になっている。飾り襟２の長手方向中央部の最大幅寸法は約７cm、長さ寸法は約９５cmである。
【００１９】
かかる襟部材を和服６に装着するには、図３に示すように、和服６の襟１１の内側に内襟１を沿わせたうえで、飾り襟２がない方の内襟１の側縁部と和服６の襟１１の基端部側とを複数のピン７で挟み込む。次に、飾り襟２を、和服６の襟縁８に沿って外側に折り返し、和服６の襟１１の外表面を覆う。なお、内襟１はピン止めしなくても、飾り襟２が和服６の襟１１を外側から挟んだ状態で曲げられるので、襟部材が和服６の襟１１に確りと密着して襟元がくずれない。
【００２０】
（別実施例）  本考案の襟部材の別実施例を図５に示す。そこでは、レース生地からなる飾り襟２と、取り付けたビーズ（装飾品）９で模様が描かれたサテン生地からなる第２の飾り襟１０とが、内襟１の長手方向の両側縁に縫い付けられている。かかる襟部材によれば、使用しない一方の飾り襟を内襟１と和服６の襟１１の間に折り挟んでピン止めすることで、二つの飾り襟を選択して用いることができる。
【００２１】
本考案の襟部材は、着物や留袖、羽織、半纏など、あらゆる和服６に適用可能である。とくに、襟１１が補強されていない浴衣や法被などの保形性の低い和服６に好適に使用でき、襟１１の補強機能をも発揮する。装飾品９はビーズに限らず、宝石や貴金属なども含む。飾り襟２は装飾性の高い生地であればよく、レース生地やサテン生地に限らず、ベルベット生地なども使用できる。
【図面の簡単な説明】
【００２２】
【図１】襟部材の平面図
【図２】襟部材を和服に用いた状態を示す概念図
【図３】襟部材の和服への装着状態を示す概念図
【図４】図３のＡ−Ａ線断面図
【図５】別実施例を示す部分平面図
【符号の説明】
【００２３】
１  内襟
２  飾り襟
３  芯材
６  和服
９  装飾品
１１  襟
【図１】
0003122366.tif 000003
【図２】
0003122366.tif 000004
【図３】
0003122366.tif 000005
【図４】
0003122366.tif 000006
【図５】
0003122366.tif 000007